(57)【特許請求の範囲】
【請求項１】
掃除機本体部に形成された集塵室が蓋体により開閉可能に構成され、前記集塵パックの台紙に形成された開口部を塵埃噴出筒部にはめ込んで、前記集塵室内に集塵パックがセットされる電気掃除機において、前記集塵室の開口端部には、その全周にわたってシール用パッキンが配設され、前記蓋体が前記集塵室に取り付けられたとき、前記蓋体の開口縁部を成しているシール用リブが前記シール用パッキンに当接し、前記集塵パックの台紙の舌部先端を前記シール用パッキンに当接させて係止させ、前記シール用パッキンの全部又は一部に、前記集塵室の開口を狭める方向に突出する突出体を設けていることを特徴とする電気掃除機。
【請求項２】
掃除機本体部に形成された集塵室が蓋体により開閉可能に構成され、前記集塵室内に集塵パックがセットされる電気掃除機において、前記集塵室の開口縁部の全部又は一部に、この開口縁部の内側で当該開口縁部と略平行に且つ前記蓋体の開口縁部が入り込めるだけの間隙をあけて突出体が設けられていることを特徴とする電気掃除機。
【発明の詳細な説明】
【０００１】
【産業上の利用分野】
本発明は、集塵室内に集塵パックがセットされる電気掃除機に関する。
【０００２】
【従来の技術】
従来の集塵室構造に関し、集塵パックである紙パックを採用するタイプにおいては、掃除機本体部に形成された集塵室の塵埃噴出筒部に、紙パックの台紙に形成されている開口部をはめ込み、蓋体を集塵室に取り付けるようにしている。また、蓋体側に紙パックを仮セットして当該蓋体を集塵室に取り付けたときに同時に紙パックが集塵室にセットされるようにしたタイプも知られている（特開平１−２１２５２２号公報参照）。
【０００３】
また、集塵室の開口縁部にはシール用パッキンが配設されており、蓋体が集塵室に取り付けられたときに、蓋体の開口縁部を成しているシール用リブが前記シール用パッキンに当接して集塵室内の気密を確保するようになっている。
【０００４】
【発明が解決しようとする課題】
しかしながら、紙パックの装着時に、紙パックの袋部の縁や台紙の舌部の端部が前記シール用パッキンの上に乗り上げ、蓋体を取り付けたときにそのシール用リブとシール用パッキンとの間に挟まることがあり、このような場合には、集塵室内の気密性が低下し、十分な集塵効果が得られないことになる。
【０００５】
特に、掃除機本体部が幾分立てられた状態で使用されるアップライト型の掃除機においては、紙パックの上端側は台紙が塵埃噴出部に取り付けられるため固定されるが、袋部の下端側は垂れ下がって何の規制も受けないため、当該袋部の下側の縁部に対応する集塵室の開口縁部において前述したシール用パッキンへの乗り上げによる問題が生じやすい。
【０００６】
また、掃除によって紙パックは膨らむが、蓋を開けると紙パックが集塵室から盛り上がるくらいに膨らんでいると、その後に再度蓋を閉めようとするときに、紙パックの袋部の特にサイド部分の縁部がシール用パッキンの上に乗り上げやすくなり、前述と同様、集塵室の気密性が低下し、十分な集塵効果が得られなくなるという不都合がある。
【０００７】
本発明は、上記の事情に鑑み、蓋体のシール用リブとシール用パッキンとの間に紙パックの一部が挟まるのを防止することができる電気掃除機を提供することを目的とする。
【０００８】
【課題を解決するための手段】
本発明の電気掃除機の第１の構成は、掃除機本体部に形成された集塵室が蓋体により開閉可能に構成され、前記集塵パックの台紙に形成された開口部を塵埃噴出筒部にはめ込んで、前記集塵室内に集塵パックがセットされる電気掃除機において、前記集塵室の開口端部には、その全周にわたってシール用パッキンが配設され、前記蓋体が前記集塵室に取り付けられたとき、前記蓋体の開口縁部を成しているシール用リブが前記シール用パッキンに当接し、前記集塵パックの台紙の舌部先端を前記シール用パッキンに当接させて係止させ、前記シール用パッキンの全部又は一部に、前記集塵室の開口を狭める方向に突出する突出体を設けていることを特徴とする。
【００１０】
また、本発明の電気掃除機の第２の構成は、掃除機本体部に形成された集塵室が蓋体により開閉可能に構成され、前記集塵室内に集塵パックがセットされる電気掃除機において、前記集塵室の開口縁部の全部又は一部に、この開口縁部の内側で当該開口縁部と略平行に且つ前記蓋体の開口縁部が入り込めるだけの間隙をあけて突出体が設けられていることを特徴とする。
【００１１】
【作用】
上記第１の構成によれば、前記集塵室の開口端部には、その全周にわたってシール用パッキンが配設され、前記蓋体が前記集塵室に取り付けられたとき、前記蓋体の開口縁部を成しているシール用リブが前記シール用パッキンに当接し、前記集塵パックの台紙の舌部先端を前記シール用パッキンに当接させて係止させ、前記シール用パッキンの全部又は一部に、前記集塵室の開口を狭める方向に突出する突出体を設けているので、この突出体が堰となって前記集塵パックの袋部の縁や台紙の舌部の端部が集塵室からはみ出すのが防止される。このはみ出しが防止されることにより、シール用リブとシール用パッキンとの間に挟まるといったことがなくなり、集塵室内の気密性を確保して、十分な集塵効果を得ることができる。
【００１３】
上記第２の構成によれば、前記集塵室の開口縁部の全部又は一部に、この開口縁部の内側で当該開口縁部と略平行に且つ前記蓋体の開口縁部が入り込めるだけの間隙をあけて突出体が設けられているので、蓋を開けると集塵室から盛り上がるくらいに集塵パックが膨らんでいても、前記突出体が堰となって、前記膨らんだ集塵パックが前記蓋体の開口縁部が入り込む部分に乗り上がってくるのを防止できる。従って、再度蓋を閉めるときでも、集塵パックの袋部のかみ込みがなくなり、集塵室内の気密性を確保して、十分な集塵効果を得ることができる。
【００１４】
【実施例】
（実施例１）
以下、本発明をその実施例を示す図に基づいて説明する。
【００１５】
図１（ａ）は、本発明の一例としてのアップライト型の電気掃除機の縦断側面図であり、同図（ｂ）は同図（ａ）のＡ矢示部の拡大図、同図（ｃ）は同図（ａ）のＢ矢示部の拡大図である。
【００１６】
このアップライト型の電気掃除機は、掃除機本体部１と、その下部に紙面に直角な水平軸回りに回転可能に連結された床ノズル部２と、掃除機本体部１の上部に差し込まれるハンドル３（図では柄の部分のみ示している）とを備える。
【００１７】
前記掃除機本体部１には集塵室４が形成されている。この集塵室４内の上部側には、塵埃噴出筒部５が開口されており、この塵埃噴出筒部５に集塵ホース６が接続されている。この集塵ホース６は前記の床ノズル部２の図示しない吸込口に通じており、この吸込口から吸い込まれた塵埃が前記集塵室４に導かれるようになっている。
【００１８】
前記集塵室４の開口縁部には、その全周にわたってシール用パッキン７が配設されており、蓋体９が集塵室４に取り付けられたときに、蓋体９の開口縁部を成しているシール用リブ９ａが前記シール用パッキン７に当接して集塵室４内の気密を確保するようになっている。そして、集塵室４の下部側に配置されているシール用パッキン７には、前記開口縁部を狭める方向（図中上方向）に突出する高さ約３ｃｍで厚み３ｍｍ程度の突出体８が形成されている。
【００１９】
前記集塵室４に紙パック１０をセットするには、蓋体９を取り外し、図２に示すように、紙パック１０の台紙１０ａに形成されている開口部１０ｂを集塵室４の塵埃噴出筒部５にはめ込む。そして、図３に示すように、紙パック１０の袋部の下端部を、前記突出体８の内側に押し込むととにも、紙パック１０の台紙１０ａの舌部先端１０ｃを、集塵室４の開口縁部の上部側に位置しているシール用パッキン７に当接させて係止させた後、蓋体９を集塵室４に取り付ける。
【００２０】
このように、前記集塵室４の開口縁部の下部側に、この開口を狭める方向に突出する突出体８を設けているので、この突出体８が堰となって前記紙パック１０の袋部の縁や台紙の舌部の端部が集塵室からはみ出すのが防止される。このはみ出しが防止されることにより、前記袋部の縁等がシール用リブ９ａとシール用パッキン７との間に挟まるといったことがなくなり、集塵室内の気密性を確保して、十分な集塵効果を得ることができる。
【００２１】
なお、前述のごとく、紙パック１０の台紙１０ａの舌部先端１０ｃを、集塵室４の開口縁部の上部側に位置しているシール用パッキン７に当接させて係止させるので、使用中に台紙１０ａが塵埃噴出筒部５から外れるのを防止できる。勿論そのような長さに舌部が設定されるということは、シール用リブ９ａとシール用パッキン７との間に挟まる位置に届かないということなので、シール部へのかみ込みといった問題もなくなる。一方、舌部先端１０ｃがシール用パッキン７に届く程度の長さがあれば、前記舌部があまりに短い場合に生じがちな紙パック交換時の取り外しの勝手の悪さも生じないことになる。
【００２２】
なお、上記の例では、シール用パッキン７に突出体８を形成することにより、掃除機本体部ケースの金型変更等の必要がないようにして低コストを図ったが、これに限らず、集塵室４を形成している樹脂体によって突出体を形成するようにしてもよく、また、突出体８は、集塵室４の開口縁部の下部側のみならず、上部や側部、或いは周囲全体に形成するようにしてもよいものである。
【００２３】
（実施例２）
以下、本発明の他の実施例を図４に基づいて説明する。図４は、本実施例における蓋体９の斜視図である。
【００２４】
本実施例は、前記第１の実施例が集塵室４の開口縁部において突出体８を形成したのに対し、当該集塵室４に取り付けられる蓋体９の下部側に突出体８を形成している。突出体８は、蓋体９を形成している樹脂体によって一体的に形成されるものでもよいし、或いは、後付け的に取り付けられるものでもよい。
【００２５】
上記の構成であれば、蓋体９側に紙パック１０を仮セットして当該蓋体９を集塵室４に取り付けたときに同時に紙パック１０が集塵室４にセットされるようにしたタイプの集塵室構造を採用する場合において、前記実施例１と同様の作用が得られる。
【００２６】
（実施例３）
図５は、本実施例のアップライト型の電気掃除機の縦断側面図であり、セットされた紙パック１０が膨らんでいる状態が示されている。また、図６は、図５におけるＸ−Ｘ矢視断面図である。
【００２７】
この実施例の電気掃除機は、実施例１と同様、掃除機本体部１に形成された集塵室４が蓋体９により開閉可能に構成され、前記集塵室４内に紙パック１０を直接セットするタイプであり、集塵室４の下部側に配置されているシール用パッキン７には、集塵室４の開口縁部を狭める方向に突出する突出体８が形成されている。
【００２８】
実施例１と異なる点は、前記集塵室４の開口縁部４ａの両サイド側に配置されているシール用パッキン７に突出体８′が形成されている点にある。この突出体８′は、集塵室４の開口縁部４ａの内側で当該開口縁部４ａと略平行に、且つ前記蓋体９の開口縁部であるシール用リブ９ａが入り込めるだけの間隙をあけて突出体８′が設けられているものである。即ち、シール用パッキン７は、集塵室４の開口縁部４ａに形成されている凹部に一部が埋め込まれており、凹部に埋め込まれていない部分は、前記蓋体９のシール用リブ９ａの先端が当接することになるシール片部分、及び、このシール片部分よりも内側において前記突出体８′を成している。
【００２９】
このような突出体８′を有する構成であれば、蓋体９を開けると集塵室４から盛り上がるくらいに紙パック１０が膨らんでいても、前記突出体８′が堰となって、前記膨らんだ紙パック１０が前記蓋体９のシール用リブ９ａが入り込む部分に乗り上がってくるのを防止することができる。従って、再度蓋体９を閉めるときでも、紙パック１０の袋部がシール用リブ９ａと前記シール片部分との間にかみ込むことがなくなり、集塵室４内の気密性を確保して、十分な集塵効果を得ることができる。
【００３０】
【発明の効果】
以上のように、本発明によれば、集塵パックの袋部の縁や台紙の舌部の端部がシール用リブとシール用パッキンとの間に挟まるといったことがなくなり、集塵室内の気密性を確保して十分な集塵効果が得られるという効果を奏する。
【図面の簡単な説明】
【図１】同図（ａ）は本発明の電気掃除機を示す縦断側面図であり、同図（ｂ）は同図（ａ）のＡ矢示部の拡大図であり、同図（ｃ）は同図（ａ）のＢ矢示部の拡大図である。
【図２】本発明の電気掃除機への紙パックの取り付けを説明する掃除機本体部の斜視図である。
【図３】本発明の電気掃除機に紙パックが取り付けられた状態を示す掃除機本体部の斜視図である。
【図４】本発明の第２の実施例を示す図であって、突出体が設けられた蓋体の斜視図である。
【図５】本発明の第３の実施例を示す図であって、電気掃除機の縦断側面図である。
【図６】同図（ａ）は図５におけるＸ−Ｘ矢視断面図であり、同図（ｂ）は同図（ａ）のＣ矢示部拡大図である。
【符号の説明】
１    掃除機本体部
２    床ノズル部
３    ハンドル部
４    集塵室
４ａ  開口縁部
５    塵埃噴出筒部
６    集塵ホース
７    シール用パッキン
８    突出体
８′  突出体
９    蓋体
９ａ  シール用リブ（開口縁部）
１０  紙パック（集塵パック）
【図１】
0003568256.tif 000002
【図２】
0003568256.tif 000003
【図３】
0003568256.tif 000004
【図４】
0003568256.tif 000005
【図５】
0003568256.tif 000006
【図６】
0003568256.tif 000007